(57)【要約】      （修正有）【課題】ミストを用いて通路内空間を視覚的に遮蔽することができると共に、客への影響がなく店舗で使用することができる通路遮蔽装置を提供する。【解決手段】人が往来する通路１１の両側に配置され、通路を形成する空隙１３内に、人の往来方向において通路内空間を視覚的に遮蔽しうるミスト１５を排出するミスト排出部１６と、排出されたミストを吸引しうるミスト吸引部１７とを備える。ミスト排出部及びミスト吸引部は、前記空隙の高さ方向に沿って通路の両側に夫々一対に配設され、ミスト排出部はミスト吸引部よりも上方へ配設されていることが好ましい。【選択図】図２
0003195673.tif 000002
【実用新案登録請求の範囲】
【請求項１】
人が往来する通路の両側に配置され、通路を形成する空隙内に、人の往来方向において通路内空間を視覚的に遮蔽しうるミストを排出するミスト排出部と、排出されたミストを吸引しうるミスト吸引部とを備えたことを特徴とする通路遮蔽装置。
【請求項２】
前記ミスト排出部及びミスト吸引部は、前記空隙の高さ方向に沿って配設されていることを特徴とする請求項１記載の通路遮蔽装置。
【請求項３】
前記ミスト排出部は前記ミスト吸引部よりも上方へ配設されていることを特徴とする請求項２記載の通路遮蔽装置。
【請求項４】
前記ミスト排出部及びミスト吸引部は、前記通路の両側に夫々一対に設けられていることを特徴とする請求項３記載の通路遮蔽装置。
【請求項５】
前記ミスト排出部には排出量を調整しうる排出量調整部が設けられていることを特徴とする請求項１記載の通路遮蔽装置。
【考案の詳細な説明】
【技術分野】
【０００１】
本考案は、人が往来する通路内空間をミストにより視覚的に遮蔽しうる通路遮蔽装置に関するものである。
【背景技術】
【０００２】
スーパーマーケットやファミリーレストラン等の店舗においては、従業員が売り場及び作業場間の通路、又は客席及び厨房間の通路を頻繁に行き来する。この場合、作業場や厨房を売り場や客席から見られないようにするため、通路の出入口にドア等が設置されているが、物を持った従業員の通過が困難になる場合がある。
【０００３】
前記不具合を解消するため、例えば特許文献１には、スイングドアが開示されている。スイングドアは、ドアパネルの上下端を出入り口のドア枠に搖動可能に支持するヒンジ装置を備えており、ドアパネルの表面又は裏面を押して開くことができると共に、出入口の通過後は、開いたドアパネルが自動的に閉じるように構成されている。
【０００４】
しかしながら、特許文献１に示すようなスイングドアにあっては、ドアパネルの表面及び裏面のどちらからも開くため、通過しようとした際に反対側から別の従業員がスイングドアを開けようとして急にドアパネルが開くことがある。特に、従業員が搬送物を持って通過する場合にあっては、事故を招くおそれがあった。
また、前記スイングドアにあっては、開いたドアパネルが自動的に閉じるように構成されているため、続いてドアを通過しようとする従業員に閉じようとするドアパネルが衝突する場合もあった。
【０００５】
結果として、前記不具合は、通路を物理的に遮蔽するドア等を出入口に設置する限り解消することができない。従って、本件実用新案登録出願人は、前記通路を視覚的に遮蔽する装置を設けることで前記不具合を解消することができると考え、視覚的な遮蔽手段としてミストに着目した。
【０００６】
従来より、ミストを発生させる装置は、舞台等の演出に用いられている（特許文献２〜４）。しかし、特許文献２〜４に係るミスト発生装置にあっては、白い霧を周囲に発生させるだけであり、日常生活において実用に耐えるものではない。特に、前記店舗でミストを発生させた場合には、前記通路以外の場所にミストが拡散することによる客への影響を十分考慮する必要がある。本件実用新案登録出願人はこのような観点から先行技術調査を行ったが、前記要請に応えられる技術は発見できなかった。
【特許文献１】特開２００６−２４９８５７号公報
【特許文献２】特開２００５−２４１１５６号公報
【特許文献３】実用新案登録第３０７７２３７号公報
【特許文献４】特開昭５９−９５０８３号公報
【考案の開示】
【考案が解決しようとする課題】
【０００７】
本考案は、以上のような従来からの不具合を解決するためのものであって、その課題は、ミストを用いて通路内空間を視覚的に遮蔽することができると共に、客への影響がなく店舗で使用することができる通路遮蔽装置を提供することにある。
【課題を解決するための手段】
【０００８】
上記課題を解決するために、請求項１に記載の考案にあっては、人が往来する通路の両側に配置され、通路を形成する空隙内に、人の往来方向において通路内空間を視覚的に遮蔽しうるミストを排出するミスト排出部と、排出されたミストを吸引しうるミスト吸引部とを備えたことを特徴とする。
【０００９】
従って、前記通路を形成する空隙内に、人の往来方向において通路内空間を視覚的に遮蔽しうるミストを排出及び吸引し、通路内空間に一定量のミストを保持することができる。
【００１０】
請求項２に記載の考案にあっては、前記ミスト排出部及びミスト吸引部は、前記空隙の高さ方向に沿って配設されていることを特徴とする。
【００１１】
従って、前記空隙の高さ方向に沿って、前記通路内空間に均一なミストを保持することができる。
【００１２】
請求項３に記載の考案にあっては、前記ミスト排出部は前記ミスト吸引部よりも上方へ配設されていることを特徴とする。
【００１３】
従って、前記ミスト排出部から排出されたミストが重力の影響で下方に流れた場合は、前記ミスト吸引部から吸引される。
【００１４】
請求項４に記載の考案にあっては、前記ミスト排出部及びミスト吸引部は、前記通路の両側に夫々一対に設けられていることを特徴とする。
【００１５】
従って、前記空隙の幅方向に沿って、前記通路内空間に均一なミストを保持することができる。
【００１６】
請求項５に記載の考案にあっては、前記ミスト排出部には排出量を調整しうる排出量調整部が設けられていることを特徴とする。
【００１７】
従って、前記空隙の高さ方向に沿って設置場所の環境に応じて濃度の異なるミストを保持することができる。
【考案の効果】
【００１８】
請求項１に記載の通路遮蔽装置にあっては、前記通路を形成する空隙内に、人の往来方向において通路内空間を視覚的に遮蔽しうるミストを排出及び吸引し、常時、通路内空間に一定量のミストを保持することができるので、従来のようなスイングドア等を設置した場合に発生しやすい従業員による衝突事故等を有効に防止できると共に、客席側からの視界を有効に遮蔽することができる。
【００１９】
請求項２に記載の通路遮蔽装置にあっては、前記空隙の高さ方向に沿って、前記通路内空間に均一なミストを保持することができるので、前記通路内空間を高さ方向に満遍なく視覚的に遮蔽することができる。
【００２０】
請求項３に記載の通路遮蔽装置にあっては、前記ミスト排出部から排出されたミストが重力の影響で下方に流れた場合は、前記ミスト吸引部から吸引されるので、ミストが下方へ停留するという事態を防止することができる。特にミストの原料として水を使用した場合にあっては、店舗の床付近の湿度が高まることによって床への結露が生じるという事態を防止することができる。
【００２１】
請求項４に記載の通路遮蔽装置にあっては、前記空隙の幅方向に沿って、前記通路内空間に均一なミストを保持することができるので、前記通路内空間を幅方向に満遍なく視覚的に遮蔽することができる。
【００２２】
請求項５に記載の通路遮蔽装置にあっては、前記空隙の高さ方向に沿って濃度の異なるミストを保持することができるので、例えば、往来する人の顔の高さ付近のミスト濃度を淡くすることで、前記通路内空間が視覚的に遮蔽された状態を維持しつつも、遮蔽された先に人がいるかどうかを確認することができる。
また、空調の吹き出し口の近傍の通路に設置されるような場合には空調風の強さに応じて適宜濃度を調整することができ、設置環境に応じて有効に視覚的な遮蔽効果を得られる通路遮蔽装置を提供することができる。
【図面の簡単な説明】
【００２３】
【図１】本考案に係る通路遮蔽装置の一実施の形態を示した斜視図である。
【図２】本考案に係る通路遮蔽装置の一実施の形態を示した斜視図であって、使用時の状態を示すものである。
【考案を実施するための最良の形態】
【００２４】
以下、添付図面に示す実施の形態に基づき、本考案を詳細に説明する。
図１及び図２に示すように、本考案の一実施の形態に係る通路遮蔽装置１０は、人が往来する通路１１の両側１２、１２に配置され、通路１１を形成する空隙１３内に、人の往来方向において通路内空間１４を視覚的に遮蔽しうるミスト１５を排出するミスト排出部１６と、排出されたミスト１５を吸引しうるミスト吸引部１７とを備えている。
【００２５】
また、ミスト排出部１６及びミスト吸引部１７は、空隙１３の高さ方向に沿って配設されている。また、ミスト排出部１６はミスト吸引部１７よりも上方へ配設されている。また、ミスト排出部１６及びミスト吸引部１７は、通路１１の両側１２、１２に夫々一対に設けられている。また、ミスト排出部１６には排出量を調整しうる排出量調整部１８が設けられている。
【００２６】
本実施の形態に係る通路遮蔽装置１０の構成について、添付図面を用いてより詳細に説明する。
図１及び図２に示すように、本考案の実施の形態において、通路遮蔽装置１０は、通路１１の両側１２、１２に配置された一対の装置本体１９により構成されている。本実施の形態に係る装置本体１９は、全体略円柱状に形成され、内部にミスト生成部（図示せず）及びミスト回収部（図示せず）を有している。
【００２７】
また、装置本体１９の通路１１側には、装置本体１９の高さ方向に沿ってミスト排出部１６、１６、１６、及びミスト吸引部１７が配設されている。ミスト排出部１６は、全体略円柱状に形成され、先端部には通路１１側に開口するミスト排出口２０が設けられている。また、ミスト吸引部１７は、全体略円柱形状に形成され、先端部には通路１１側に開口するミスト吸引口２１が設けられている。本実施の形態にあっては、ミスト吸引部１７には吸引量を調整しうる吸引量調整部２２が設けられている。
【００２８】
本実施の形態に係る通路遮蔽装置１０の作用について、添付図面を用いて説明する。
図１及び図２に示すように、本実施の形態に係る通路遮蔽装置１０を使用する場合には、スーパーマーケットやファミリーレストラン等の店舗において、売り場及び作業場間、又は客席及び厨房間の通路１１の両側１２に通路遮蔽装置１０を配置する。そして、装置本体１９内に設けられたミスト生成部（図示せず）においてミスト１５が生成され、ミスト排出部１６に設けられたミスト排出口２０から通路１１を形成する空隙１３内に排出される。
【００２９】
この際、本実施の形態に係る通路遮蔽装置１０にあっては、通路１１を形成する空隙内に、人の往来方向において通路内空間１４を視覚的に遮蔽しうるミスト１５を排出及び吸引し、常時、通路内空間１４に一定量のミストを保持することができるので、従来のようなスイングドア等を設置した場合に発生しやすい従業員による衝突事故等を有効に防止できると共に、客席側からの視界を有効に遮蔽することができる。
【００３０】
本実施の形態に係るミスト１５にあっては、装置本体１９内に設けられたミスト生成部（図示せず）により、水を原料として生成され、ミスト排出部１６へ導入される。従って、ミスト１５による人体への影響はほとんどなく、通路遮蔽装置１０を店舗内において安全に使用することができる。
【００３１】
また、本実施の形態に係る通路遮蔽装置１０にあっては、ミスト排出部１６はミスト吸引部１７よりも上方へ配設されているので、ミスト排出部１６から排出されたミスト１５が重力の影響で下方に流れた場合は、ミスト吸引部１７から吸引される。従って、ミスト１５が下方へ停留するという事態を防止することができる。特に、本実施の形態においては、ミスト１５の原料として水を使用しているので、店舗の床付近の湿度が高まることによって床への結露が生じるという事態を防止することができる。
【００３２】
また、本実施の形態において、ミスト吸引部１７に吸引されたミスト１５は、装置本体１９の内部に設けられたミスト回収部（図示せず）によって、再びミスト排出部１６へと誘導される。従って、空隙１３内に排出されたミスト１５を、通路内空間１４を視覚的に遮蔽するためのミストとして再利用することができる。
【００３３】
また、本実施の形態に係る通路遮蔽装置１０にあっては、ミスト排出部１６及びミスト吸引部１７は、通路１１の両側１２に夫々一対に、空隙１３の高さ方向に沿って配設されているので、空隙１３の幅方向及び高さ方向に沿って、通路内空間１４に均一なミスト１５を保持することができる。従って、通路内空間１４を幅方向及び高さ方向に満遍なく視覚的に遮蔽することができる。
【００３４】
また、本実施の形態に係る通路遮蔽装置１０にあっては、排出量調整部１８及び吸引量調整部２２が設けられているので、空隙１３の高さ方向に沿って濃度の異なるミスト１５を保持することができる。従って、例えば、往来する人の顔の高さ付近のミスト濃度を淡くすることで、通路内空間１４が視覚的に遮蔽された状態を維持しつつも、遮蔽された先に人がいるかどうかを確認することができる。
また、空調の吹き出し口の近傍の通路１１に設置されるような場合には空調風の強さに応じて適宜ミスト１５の濃度を調整することができ、設置環境に応じて有効に視覚的な遮蔽効果を得られる通路遮蔽装置を提供することができる。
【００３５】
本実施の形態に係るミスト排出部１６及びミスト吸引部１７は、空隙１３の高さ方向に沿って、通路１１の両側１２に夫々一対に設けられている場合を例に説明したが、前記構成に限定されない。
また、ミスト排出部１６はミスト吸引部１７よりも上方へ配設されている場合を例に説明したが、前記構成に限定されない。
【００３６】
本実施の形態に係る通路遮蔽装置１０は、ミスト１５によって通路内空間１４を視覚的に遮蔽しうる場合を例に説明したが、前記構成に限定されず、例えばスモーク等によって通路内空間を視覚的に遮蔽してもよい。
【産業上の利用可能性】
【００３７】
本考案は、人が往来する通路内空間を視覚的に遮蔽しうる通路遮蔽装置に広く適用可能であり、産業上利用可能性を有している。
【符号の説明】
【００３８】
１０：通路遮蔽装置
１１：通路
１２：両側
１３：空隙
１４：通路内空間
１５：ミスト
１６：ミスト排出部
１７：ミスト吸引部
１８：排出量調整部
１９：装置本体
２０：ミスト排出口
２１：ミスト吸引口
２２：吸引量調整部
【図１】
0003195673.tif 000003
【図２】
0003195673.tif 000004